(57)【特許請求の範囲】
【請求項１】
マイクロホン（１０４）及びスピーカ（１０５）を有する子機（１０ａ、１０ｂ、１０ｃ・・・１０ｍ）と、通話のためのマイクロホン（２０３）及びスピーカ（２０４）を有する親機（２０ａ、２０ｂ、２０ｃ・・・２０ｎ）を備え、前記子機及び前記親機間でインターホン制御データ（ｄ１）、音声データ（ｄ２）を含む伝送フレーム（ｆ）を一定周期のフレーム周期（Ｔ）で伝送するインターホン装置において、
前記音声データのサンプリング周期（Ｔ１）を受信側に正しく伝送するために、前記サンプリング周期と前記フレーム周期の関係を１：１、１／ｐ：１又はｐ：１（ｐは自然数）の周期とするとともに、前記音声データ中に同期の取り出し位置を示す同期マーカー（Ｍ）を備えたことを特徴とするインターホン装置。
【請求項２】
画像を撮像するためのカメラ（１０３）を有する子機（１０ａ、１０ｂ、１０ｃ・・・１０ｍ）と、前記画像を表示する表示部（２０２）を有する親機（２０ａ、２０ｂ、２０ｃ・・・２０ｎ）とを備え、前記子機及び前記親機間でインターホン制御データ（ｄ１）、画像データ（ｄ３）を含む伝送フレーム（ｆ）を一定周期のフレーム周期（Ｔ）で伝送するインターホン装置において、
前記画像データの画面周期（Ｔ２）を受信側に正しく伝送するために、前記画面周期と前記フレーム周期の関係を１：１、１／ｐ：１又はｐ：１（ｐは自然数）の周期とするとともに、前記画像データ中に同期の取り出し位置を示す同期マーカー（Ｍ）を備えたことを特徴とするインターホン装置。
【請求項３】
請求項１記載の前記音声データ及び請求項２記載の前記画像データ間の時間軸上の同期を取るために、前記画像データの処理時間を吸収するための音声遅延バッファ（２１１）を設けることによりリップシンクを合わせる機能を備えたことを特徴とするインターホン装置。
【請求項４】
一定周期を維持しつつ中継再生するために、前記伝送フレームを一周期分又は複数周期分格納する一時格納バッファ（３０６）を設け、前記同期マーカーのタイミングで、前記一時格納バッファに格納された前記伝送フレームを送信することにより、中継再生する機能を備えたことを特徴とする請求項１又は請求項２記載のインターホン装置。
【請求項５】
前記同期マーカーとして、前記音声データを符号拡張し、拡張する前の音声データに対応する拡張された符号以外の符号を利用して同期信号を拡張された符号に重畳して伝送し再生する機能を備えたことを特徴とする請求項１記載のインターホン装置。
【請求項６】
前記画像同期マーカーとして、前記画像データを符号拡張し、拡張する前の画像データに対応する拡張された符号以外の符号を利用して同期信号を拡張された符号に重畳して伝送し再生する機能を備えたことを特徴とする請求項２記載のインターホン装置。
【請求項７】
請求項４、請求項５及び請求項６記載のインターホン装置において、送信側から前記画像の同期信号に合わせて、前記一時格納バッファに格納した前記同期マーカーを含んだ前記伝送フレームを一周期分又は複数周期分のデータを遅延して送信することで、受信側にて前記同期マーカーを取り出すことで同期タイミングを再生してリップシンクを合わせることを特徴とするインターホン装置。
【発明の詳細な説明】
【技術分野】
【０００１】
本発明は、インターホン装置に係り、特に画像データと音声データを伝送するときの同期伝達手段に、伝送フレームの周期性を利用したインターホン装置に関する。
【背景技術】
【０００２】
従来から、デジタル化した映像、音声などの周期性のあるデータを同期信号と共に伝送させる同期式データ伝送方式及び装置が開示されている（例えば、特許文献１参照）。
【０００３】
この装置は、インターホン装置のモニタ付親機、カメラ付子機、制御機などの通信機器に適用され、制御機には、伝送フレームの組み立てと分離を行うデータ整形回路と、このデータ整形回路及びモニタ付親機、カメラ付子機に制御コマンドを送る制御回路と、各部の動作タイミングをつくるタイミング回路と、データの送受信を行うトランシーバとを備え、親機、子機には、伝送フレームの組み立てと分離を行うデータ整形回路と、このデータ整形回路及び制御機に制御コマンドを送る制御回路と、各部の動作タイミングをつくるタイミング回路と、データの送受信を行うトランシーバと、制御機から送られてくる同期信号を再生する同期再生回路とを備えている。
【０００４】
このような装置は、カメラ付子機で映像データ、音声データ及び制御データなどのデータを、データ整形回路にてタイミング回路でつくられた同期信号を付加して伝送フレームとし、トランシーバから伝送路に伝送される。この伝送フレームを、制御機を介してトランシーバで受信したモニタ付親機は、同期再生回路において同期信号を再生し、再生された同期信号に基づきタイミング回路を動作させ、映像データ及び音声データを出力する。
【０００５】
なお、この伝送フレームは図３に示すように、フレームのデータリンク層で付加される制御情報であるフレームヘッダＨが格納されるフレームヘッダフィールドと、インターホン装置の通話制御を行うための制御データＤ１が格納される制御データフィールドと、音声データＤ２が格納される音声データフィールドと、画像データＤ３が格納される画像データフィールドとから構成されている。また、フレームヘッダＨには、送信側のシステムクロックのカウンタ値のタイムスタンプＴＳが含まれる。ここで、タイムスタンプＴＳとは、データを作成した時間であって、復号化する側でタイミング調整するための時間データのことをいう。
【０００６】
また、モニタ付親機のタイミング回路は図４に示すように、データ整形回路で分解されたフレームヘッダＨからタイムスタンプＴＳを取り出すタイムスタンプ検出回路５１と、分周を行う分周用カウンタ５２と、タイムスタンプ検出回路５１より入力されるカウント値と、分周用カウンタ５２とのカウント値を加減算する加減算器５３と、加減算器５３の出力を平滑化するフィルタ回路５４と、フィルタ回路５４で制御される電圧制御発振器（ＶＣＯ）５５とで構成されているシステムクロック生成回路部５０を有している。したがって、モニタ付親機のデータ整形回路、トランシーバ等の制御タイミングは、タイミング回路のシステムクロック生成回路部５０で生成されたシステムクロックを使用し、システムの同期をとっている。
【０００７】
【特許文献１】特開２００１−１８６０９９号公報
【発明の開示】
【発明が解決しようとする課題】
【０００８】
しかしながら、背景技術に記載した装置では、同期信号を抽出するために、フレームヘッダに記載されているタイムスタンプＴＳを使用して、位相ロックループ（ＰＬＬ）を形成し、システムクロックを生成して、システム全体の同期をとっている。
【０００９】
このためタイムスタンプＴＳが入るたびに、システムクロックの誤差を修正しているので、システムクロック周波数が毎回異なる場合があることからシステムクロック自体の揺らぎが大きくなり、精度の良いシステムクロックを得るためには精密な制御が必要であった。また、このようにシステムクロック自体の揺らぎが大きいシステムクロックとなっているので、音声同期のスリップ等が起き易くなり、リップシンクがずれてしまう難点があった。
【００１０】
本発明は、このような従来の難点を解決するためになされたもので、伝送フレームを一定周期で送ることで、受信側での同期信号の再生が容易なインターホン装置を提供することを目的とする。
【課題を解決するための手段】
【００１１】
上述の目的を達成する本発明の第１の態様であるインターホン装置は、マイクロホン及びスピーカを有する子機と、通話のためのマイクロホン及びスピーカを有する親機を備え、子機及び親機間でインターホン制御データ、音声データを含む伝送フレームを一定周期のフレーム周期で伝送するインターホン装置において、音声データのサンプリング周期を受信側に正しく伝送するために、サンプリング周期とフレーム周期の関係を１：１、１／ｐ：１又はｐ：１（ｐは自然数）の周期とするとともに、音声データ中に同期の取り出し位置を示す同期マーカーを備えたものである。
【００１２】
また、上述の目的を達成する本発明の第２の態様であるインターホン装置は、画像を撮像するためのカメラを有する子機と、画像を表示する表示部を有する親機とを備え、子機及び親機間でインターホン制御データ、画像データを含む伝送フレームを一定周期のフレーム周期で伝送するインターホン装置において、画像データの画面周期を受信側に正しく伝送するために、画面周期とフレーム周期の関係を１：１、１／ｐ：１又はｐ：１（ｐは自然数）の周期とするとともに、画像データ中に同期の取り出し位置を示す同期マーカーを備えたものである。
【００１３】
このような第１の態様、第２の態様によるインターホン装置によれば、デジタルデータ伝送において、サンプリング周期とフレーム周期との関係及び画面周期とフレーム周期との関係をそれぞれ１：１、１／ｐ：１又はｐ：１（ｐは自然数）の周期としていることから伝送フレームを一定周期で送ることができるので、伝送フレーム周期を単位として、同期マーカーを検出することで同期再生が受信側で容易にできるようになる。したがって、システムクロック自体の揺らぎを防ぐことができる。ここで、同期マーカーとは、伝送フレーム中の音声データ又は画像データに設けられ同期の取り出し位置を示すデータ先頭符号のことをいう。
【００１４】
本発明の第３の態様は第１の態様及び第２の態様であるインターホン装置において、画像データ間の時間軸上の同期を取るために、画像データの処理時間を吸収するための音声遅延バッファを設けることによりリップシンクを合わせる機能を備えたものである。これは、画像データ、音声データの再生側で画像データの処理時間が音声データの処理時間より長くなるので、音声遅延バッファで両方の処理時間を合わせることで音声同期と画像同期を合わせて、リップシンクを合わせることができるようになる。ここで、リップシンク（Lip Synchronization）とは、オーディオビジュアル再生で話者の唇の動きと耳に聞こえる音の同期のことをいう。
【００１５】
本発明の第４の態様は第１の態様又は第２の態様であるインターホン装置において、一定周期を維持しつつ中継再生するために、伝送フレームを一周期分又は複数周期分格納する一時格納バッファを設け、同期マーカーのタイミングで、一時格納バッファに格納された伝送フレームを送信することにより、中継再生する機能を備えたものである。これにより、一時格納バッファで格納した伝送フレームを一周期分又は複数周期分だけ遅らせて送信することができるので、受信側で遅れを感じることなく音声、画像を再生することができる。
【００１６】
本発明の第５の態様は第１の態様であるインターホン装置において、同期マーカーとして、音声データを符号拡張し、拡張する前の音声データに対応する拡張された符号以外の符号を利用して同期信号を拡張された符号に重畳して伝送し再生する機能を備えたものである。これにより、音声データに同期信号を付加することができるので、別途、同期情報をフレームヘッダ等に設ける必要がなくなる。
【００１７】
本発明の第６の態様は第２の態様であるインターホン装置において、画像同期マーカーとして、画像データを符号拡張し、拡張する前の画像データに対応する拡張された符号以外の符号を利用して同期信号を拡張された符号に重畳して伝送し再生する機能を備えたものである。これにより、画像データに同期信号を付加することができるので、別途、同期情報をフレームヘッダ等に設ける必要がなくなる。
【００１８】
本発明の第７の態様は第４の態様、第５の態様及び第６の態様であるインターホン装置において、送信側から画像の同期信号に合わせて、一時格納バッファに格納した同期マーカーを含んだ伝送フレームを一周期分又は複数周期分のデータを遅延して送信することで、受信側にて同期マーカーを取り出すことで同期タイミングを再生してリップシンクを合わせるものである。これにより、１画像分の画像データを送信した後に、１画像分の音声データを送信することができるので、画像データ、音声データの再生側で音声遅延バッファを設ける必要がなくなる。
【発明の効果】
【００１９】
本発明のインターホン装置によれば、デジタルデータ伝送において、一定周期で伝送される伝送フレームを単位周期として、画像データや音声データの同期を再生するのに必要な同期情報を簡易な回路で構成して送信及び受信できる。また、本発明のインターホン装置によれば、リップシンクを合わせるため、伝送フレームの単位周期を利用し且つ画像データ、音声データの再生側に音声遅延バッファを設けることで、再生側で容易にリップシンクを合わせることができる。また、本発明のインターホン装置によれば、リップシンクを合わせるため、画像データ、音声データの送信側で伝送フレームの単位周期を利用して音声データの送信を遅らせることで、画像データ、音声データの再生側で容易にリップシンクを合わせることができる。
【発明を実施するための最良の形態】
【００２０】
以下、本発明を実施するための最良の実施形態について、図面を参照して説明する。参照する図１は、本発明のインターホン装置の全体構成を示すブロック図である。
【００２１】
本発明の好ましい実施の形態例であるインターホン装置は図１に示すように、集合住宅の集合玄関で呼出操作、撮像及び通話を行う１台以上の集合玄関子機１０ａ、１０ｂ、１０ｃ、・・・、１０ｍと、撮像した画像の表示、通話を行う複数の居室親機２０ａ、２０ｂ、２０ｃ、・・・、２０ｎと、通話に際し音声と画像の交換制御を行う制御装置３０とを備えている。
【００２２】
各集合玄関子機１０ａ、１０ｂ、１０ｃ、・・・、１０ｍは同一の構成とされ、来訪者が呼出操作を行うための操作ボタン１０１と、操作ボタン１０１で呼び出した部屋番号等を表示するための表示部１０２と、集合玄関の来訪者等を撮像するカメラ１０３と、居住者と通話を行うためのマイクロホン１０４及びスピーカ１０５とを備えている。この集合玄関子機１０ａ、１０ｂ、１０ｃ、・・・、１０ｍは、さらに、撮像した画像をデジタル画像データに変換する画像用符号器１０６と、マイクロホン１０４から入力されたアナログ音声信号をデジタル音声データに変換するとともに、居室親機２０ａ、２０ｂ、２０ｃ、・・・、２０ｎから送信されたデジタル音声データをアナログ音声信号に変換する音声コーデック（ＣＯＤＥＣ）１０７と、デジタル画像データ及びデジタル音声データを伝送するための伝送フレームの組み立てと分離を行うデータ整形回路１０８と、各部の動作タイミングを生成するタイミング生成回路１０９と、データの送受信を伝送路Ｌ１０ａ、Ｌ１０ｂ、Ｌ１０ｃ、・・・、Ｌ１０ｍを介して行う伝送回路１１０と、集合玄関子機の各部を制御するとともに制御装置３０と通信・通話制御を行うＣＰＵ等からなる制御回路１１１とを備えている。
【００２３】
伝送回路１１０は図２に示すように、データ整形回路１０８で生成された子機及び親機間でインターホン制御データｄ１、音声データｄ２、画像データ３を含む伝送フレームｆを、タイミング生成回路１０９の動作タイミングに基づき一定の周期のフレーム周期Ｔで伝送することができる。この伝送フレームｆは、フレームのデータリンク層で付加される制御情報であるフレームヘッダｈが格納されるフレームヘッダフィールドと、インターホン装置の通話制御を行うための制御データｄ１が格納される制御データフィールドと、音声データｄ２が格納される音声データフィールドと、画像データｄ３が格納される画像データフィールドとから構成されている。
【００２４】
この集合玄関子機１０ａ、１０ｂ、１０ｃ、・・・、１０ｍは図１に示すように、操作ボタン１０１及び表示部１０２は制御回路１１１に接続され、カメラ１０３は画像符号器１０６に接続され、マイクロホン１０４及びスピーカ１０５は音声用コーデック１０７に接続されている。また、制御回路１１１、画像用符号器１０６及び音声用コーデック１０７はそれぞれデータ整形回路１０８に接続され、データ整形回路１０８は伝送路Ｌ１０ａ、Ｌ１０ｂ、Ｌ１０ｃ、・・・、Ｌ１０ｍに接続される伝送回路１１０に接続されている。さらに、音声用コーデック１０７、データ整形回路１０８及び伝送回路１１０はそれぞれタイミング生成回路１０９に接続されている。なお、制御回路１１１は、操作ボタン１０１及び表示部１０２だけではなく制御が必要な各部にも接続されている。また、音声用コーデック１０７はデータ整形回路１０８に対してマイクロホン１０４及びスピーカ１０５に対応して２本で接続されている。
【００２５】
制御装置３０は図１に示すように、音声、画像のデータを交換するため交換回路３０１と、デジタル画像データ及びデジタル音声データを伝送するための図２（Ａ）に示す伝送フレームｆの組み立てと分離を行うデータ整形回路３０２と、各部の動作タイミングを生成するタイミング生成回路３０３と、データの送受信を伝送路Ｌ１０ａ、Ｌ１０ｂ、Ｌ１０ｃ、・・・、Ｌ１０ｍ及び伝送路Ｌ２０ａ、Ｌ２０ｂ、Ｌ２０ｃ、・・・、Ｌ２０ｎを介して行う伝送回路３０４と、集合玄関子機１０ａ、１０ｂ、１０ｃ、・・・、１０ｍ及び居室親機２０ａ、２０ｂ、２０ｃ、・・・、２０ｎと通信・通話の交換制御を行うＣＰＵ等からなる制御回路３０５とを備えている。
【００２６】
この制御装置３０はこれら回路を使用して、集合玄関子機１０ａ、１０ｂ、１０ｃ、・・・、１０ｍで生成された伝送フレームｆに含まれた音声データｄ２のサンプリング周期Ｔ１を受信側である居室親機２０ａ、２０ｂ、２０ｃ、・・・、２０ｎに正しく伝送するために、図２（Ｂ）に示すサンプリング周期Ｔ１とフレーム周期Ｔの関係を１：１、１／ｐ：１又はｐ：１（ｐは自然数）の周期とするとともに、音声データｄ２中に同期の取り出し位置を示す同期マーカーＭを付加することができる。また、制御装置３０はこれら回路を使用して、集合玄関子機１０ａ、１０ｂ、１０ｃ、・・・、１０ｍで生成された伝送フレームｆに含まれた画像データｄ３の画面周期Ｔ２を受信側である居室親機２０ａ、２０ｂ、２０ｃ、・・・、２０ｎに正しく伝送するために、図２（Ｂ）に示す画面周期Ｔ２とフレーム周期Ｔの関係を１：１、１／ｐ：１又はｐ：１（ｐは自然数）の周期とするとともに、画像データｄ３中に同期の取り出し位置を示す同期マーカーＭを付加することができる。このように、デジタルデータ伝送において、サンプリング周期Ｔ１とフレーム周期Ｔとの関係及び画面周期Ｔ２とフレーム周期Ｔとの関係をそれぞれ１：１、１／ｐ：１又はｐ：１（ｐは自然数）の周期としていることから伝送フレームｆを一定周期で送ることができるので、伝送フレーム周期を単位として、同期マーカーＭを検出することで同期再生が受信側で容易にできるようになる。したがって、システムクロック自体の揺らぎを防ぐことができる。
【００２７】
各居室親機２０ａ、２０ｂ、２０ｃ、・・・、２０ｎは図１に示すように同一の構成とされ、集合玄関子機１０ａ、１０ｂ、１０ｃ、・・・、１０ｍとの応答・終話操作を行うための操作ボタン２０１と、集合玄関子機１０ａ、１０ｂ、１０ｃ、・・・、１０ｍのカメラ１０３で撮像された集合玄関の来訪者等の画像を表示する液晶パネル等の表示部２０２と、来訪者と通話を行うためのマイクロホン２０３及びスピーカ２０４とを備えている。この居室親機２０ａ、２０ｂ、２０ｃ、・・・、２０ｎは、さらに、集合玄関子機１０ａ、１０ｂ、１０ｃ、・・・、１０ｍからのデジタル画像データをアナログ画像データに変換する画像用複合器２０５と、マイクロホン２０３から入力されたアナログ音声信号をデジタル音声データに変換するとともに、集合玄関子機１０ａ、１０ｂ、１０ｃ、・・・、１０ｍから送信されたデジタル音声データをアナログ音声信号に変換する音声コーデック（ＣＯＤＥＣ）２０６と、デジタル画像データ及びデジタル音声データを伝送するための伝送フレームの組み立てと分離を行うデータ整形回路２０７と、各部の動作タイミングを生成するタイミング生成回路２０８と、データの送受信を伝送路Ｌ２０ａ、Ｌ２０ｂ、Ｌ２０ｃ、・・・、Ｌ２０ｎを介して行う伝送回路２０９と、居室親機の各部を制御するとともに制御装置３０と通信・通話制御を行うＣＰＵ等からなる制御回路２１０とを備えている。
【００２８】
伝送回路２０９は図２（Ａ）に示すように、データ整形回路２０７で生成された子機及び親機間でインターホン制御データｄ１、音声データｄ２、画像データ３を含む伝送フレームｆを、タイミング生成回路２０８の動作タイミングに基づき一定の周期のフレーム周期Ｔで伝送することができる。
【００２９】
この居室親機２０ａ、２０ｂ、２０ｃ、・・・、２０ｎは図１に示すように、操作ボタン２０１は制御回路２１０に接続され、表示部２０２は画像用複合器２０５に接続され、マイクロホン２０３及びスピーカ２０４は音声用コーデック２０６に接続されている。また、制御回路２１０、画像用復号器２０５及び音声用コーデック２０６はそれぞれデータ整形回路２０７に接続され、データ整形回路２０７は伝送路Ｌ２０ａ、Ｌ２０ｂ、Ｌ２０ｃ、・・・、Ｌ２０ｎに接続される伝送回路２０９に接続されている。さらに、音声用コーデック２０６、データ整形回路２０７及び伝送回路２０９はそれぞれタイミング生成回路２０８に接続されている。なお、制御回路２１０は、操作ボタン２０１だけではなく制御が必要な各部にも接続されている。また、音声用コーデック２０６はデータ整形回路２０７に対してマイクロホン２０３及びスピーカ２０４に対応して２本で接続されている。
【００３０】
このスピーカ２０４に対応して音声用コーデック２０６とデータ整形回路２０７の間に接続されている接続線には音声遅延バッファ２１１が接続されている。この音声遅延バッファ２１１は、集合玄関子機１０ａ、１０ｂ、１０ｃ、・・・、１０ｍから伝送されてくる伝送フレームｆに含まれる音声データｄ２及び画像データｄ３間の時間軸上の同期を取るために、画像データｄ３の処理時間を吸収してリップシンクを合わせるものである。この音声遅延バッファ２１１を音声用コーデック２０６とデータ整形回路２０７の間に設けることにより、で画像データｄ３の処理時間が音声データｄ２の処理時間より長くなるので、音声遅延バッファ２１１で両方の処理時間を合わせることで音声同期と画像同期を合わせて、リップシンクを合わせることができるようになる。
【００３１】
このように構成されたインターホン装置のインターホン動作について、以下説明する。
【００３２】
集合住宅の集合玄関において、来訪者が集合玄関機１０ａの操作ボタン１０１で呼び出し操作すると、制御回路１１１が表示部１０２に呼び出した居室番号を表示する。続いて制御回路１１１は、呼び出しが発生したことを制御装置３０に対して通知するための呼出コマンドを送信する。この呼出コマンドは、データ整形回路１０８にて図２に示す伝送フレームｆを構成する制御データフィールドに格納されて伝送回路１１０に送出され、伝送回路１１０にて伝送に適した伝送信号に変換されて、伝送路Ｌ１０aを介して制御装置３０に伝送される。
【００３３】
制御装置３０では、伝送信号を伝送回路３０４にて内部信号に変換され、データ整形回路３０２に送出される。データ整形回路３０２では、伝送フレームｆの制御データフィールドに格納された呼出コマンドを制御回路３０５に送出するので、制御回路３０５はその呼出コマンドに基づき呼び出し先の居室親機２０ａに対して呼出コマンドを送信する。この呼出コマンドは、データ整形回路３０２にて図２（Ａ）に示す伝送フレームｆを構成する制御データフィールドに格納されて伝送回路３０４に送出され、伝送回路３０４にて伝送に適した伝送信号に変換されて、伝送路Ｌ２０aを介して居室親機２０aに伝送される。
【００３４】
居室親機２０aでは、伝送回路２０９にて内部信号に変換され、データ整形回路２０７に送出される。データ整形回路２０７では、伝送フレームｆの制御データフィールドに格納された呼出コマンドを制御回路２１０に送出するので、制御回路２１０はその呼出コマンドに基づき制御装置３０に対して、呼出応答コマンドを送信する。この呼出応答コマンドは、データ整形回路２０７にて図２（Ａ）に示す伝送フレームｆを構成する制御データフィールドに格納されて伝送回路２０９に送出され、伝送回路２０９にて伝送に適した伝送信号に変換されて、伝送路Ｌ２０aを介して制御装置３０に伝送される。
【００３５】
制御装置３０では、伝送信号を伝送回路３０４にて内部信号に変換され、データ整形回路３０２に送出される。データ整形回路３０２では、伝送フレームｆの制御データフィールドに格納された呼出応答コマンドを制御回路３０５に送出するので、制御回路３０５はその呼出応答コマンドに基づき交換回路３０１で音声、画像のデータの通信路を接続するとともに、通話開始コマンドを集合玄関子機１０ａと居室親機２０ａに対して送信する。この通話開始コマンドは、データ整形回路３０２にて図２に示す伝送フレームｆを構成する制御データフィールドに格納されて伝送回路３０４に送出され、伝送回路３０４にて伝送に適した伝送信号に変換されて、伝送路Ｌ１０ａを介して集合玄関子機１０ａに、また、伝送路Ｌ２０aを介して居室親機２０aにそれぞれ伝送される。
【００３６】
集合玄関子機１０ａでは、伝送フレームｆが伝送回路１１０にて内部信号に変換され、データ整形回路１０８に送出される。データ整形回路１０８では、伝送フレームｆの制御データフィールドに格納された通話開始コマンドを制御回路１１１に送出するので、制御回路１１１はその通話開始コマンドに基づき集合玄関子機１０ａを通話状態にする。また、居室親機２０aでは、伝送フレームｆが伝送回路２０９にて内部信号に変換され、データ整形回路２０７に送出される。データ整形回路２０７では、伝送フレームｆの制御データフィールドに格納された通話開始コマンドを制御回路２１０に送出するので、制御回路２１０はその通話開始コマンドに基づき居室親機２０aを通話状態にする。したがって、集合玄関子機１０ａと居室親機２０aとの間で通話路が形成される。
【００３７】
次に、音声、画像系のインターホン動作について説明する。なお、制御装置３０で生成した伝送フレームｆは、通話の如何を問わず一定の伝送フレーム周期Ｔで伝送されている。この伝送フレーム周期Ｔは図２（Ｂ）に示すように、音声データｄ２のサンプリング周期Ｔ１及び画像データｄ３の画面周期Ｔ２より短いものとする。なお、伝送フレーム周期Ｔと画面周期Ｔ２とは同じであってもよい。
【００３８】
まず、画像データｄ３の伝送では、送信側の集合玄関機１０ａのカメラ１０３で撮像された画像は、画像用符合器１０６にて例えば元画像に対して圧縮された符号に符号化される。符号化された画像データｄ３は、伝送フレームｆの画像データフィールドに格納できるサイズに分割され、データ整形回路１０８に送出される。なお、データ整形回路１０８は、画面周期Ｔ２内に入力される伝送フレームｆのうち画像データｄ３の先頭に同期の取出し位置を示す同期マーカーＭを付加する。この際、データ整形回路１０８は、集合玄関子機１０ａで生成された伝送フレームｆに含まれた画像データｄ３の画面周期Ｔ２を受信側である居室親機２０ａに正しく伝送するために、図２（Ｂ）に示す画面周期Ｔ２とフレーム周期Ｔの関係を１：１、１／ｐ：１又はｐ：１（ｐは自然数）の周期とするとともに、画像データｄ３中に同期の取り出し位置を示す同期マーカーＭを付加する。この同期マーカーＭが付加された画像データｄ３は、伝送フレームｆの画像データフィールドに格納されて伝送回路１１０に送出され、伝送回路１１０にて伝送に適した伝送信号に変換されて、伝送路Ｌ１０aを介して制御装置３０に伝送される。
【００３９】
制御装置３０では、伝送信号を伝送回路３０４にて内部信号に変換され、データ整形回路３０２に送出される。データ整形回路３０２では、伝送フレームｆの画像データフィールドに格納された同期マーカーＭが付加された画像データｄ３を制御回路３０５に送出するので、制御回路３０５はその画像データｄ３を呼び出し先の居室親機２０ａに対して送信する。この画像データｄ３は、データ整形回路３０２にて図２に示す伝送フレームｆを構成する画像データフィールドに格納されて伝送回路３０４に送出され、伝送回路３０４にて伝送に適した伝送信号に変換されて、伝送路Ｌ２０aを介して居室親機２０aに伝送される。
【００４０】
居室親機２０aでは、伝送信号を伝送回路２０９にて内部信号に変換され、データ整形回路２０７に送出される。データ整形回路２０７では、伝送フレームｆの画像データフィールドに格納された画像データｄ３から同期マーカーＭを検出すると、タイミング生成回路２０８にて同期再生する。再生した同期信号と、受信した画像データｄ３を画像用復号器２０５に入力し画像を伸張することで、表示部２０２で画像を再生することができる。
【００４１】
次に音声データｄ２の伝送では、送信側の集合玄関機１０ａのマイクロホン１０４で集音された音声のアナログ音声信号は、音声用コーデック１０７でデジタル音声データに変換され、データ整形回路１０８に送出される。このとき、データ整形回路１０８は、集合玄関子機１０ａで生成された伝送フレームｆに含まれた音声データｄ２のサンプリング周期Ｔ１を受信側である居室親機２０ａに正しく伝送するために、図２（Ｂ）に示すサンプリング周期Ｔ１とフレーム周期Ｔの関係を１：１、１／ｐ：１又はｐ：１（ｐは自然数）の周期とするとともに、音声データｄ２中に同期の取り出し位置を示す同期マーカーＭを付加する。この同期マーカーＭが付加された音声データｄ２は、伝送フレームｆの音声データフィールドに格納されて伝送回路１１０に送出され、伝送回路１１０にて伝送に適した伝送信号に変換されて、伝送路Ｌ１０aを介して制御装置３０に伝送される。
【００４２】
制御装置３０では、伝送信号を伝送回路３０４にて内部信号に変換され、データ整形回路３０２に送出される。データ整形回路３０２では、伝送フレームｆの音声データフィールドに格納された同期マーカーＭが付加された音声データｄ２を制御回路３０５に送出するので、制御回路３０５はその音声データｄ２を呼び出し先の居室親機２０ａに対して送信する。この音声データｄ２は、データ整形回路３０２にて図２（Ａ）に示す伝送フレームｆを構成する音声データフィールドに格納されて伝送回路３０４に送出され、伝送回路３０４にて伝送に適した伝送信号に変換されて、伝送路Ｌ２０aを介して居室親機２０aに伝送される。
【００４３】
居室親機２０aでは、伝送信号を伝送回路２０９にて内部信号に変換され、データ整形回路２０７に送出される。データ整形回路２０７では、伝送フレームｆの画像データフィールドに格納された画像データｄ３から同期マーカーＭを検出すると、タイミング生成回路２０８にて同期再生する。この際、音声データｄ２と画像データｄ３間の時間軸上の同期を取るために、音声データｄ２を音声遅延バッファ２１１で画像データｄ３の処理時間を吸収するためにデータ送出を遅延させる。したがって、再生した同期信号と、受信した音声データｄ２を音声用コーデック２０６に入力することで、画像とリップシンクを合わせた音声をスピーカ２０４が出力することができる。
【００４４】
なお、上述した実施例においては、受信側である居室親機２０ａ、２０ｂ、２０ｃ、・・・、２０ｎにリップシンクを合わせる機能を設けていたが、これに限らず、送信側である制御装置３０に設けてもよい。例えば、図１に示すように、伝送フレームｆを一周期分又は複数周期分格納する一時格納バッファ３０６を伝送回路３０４に接続させる。これにより、送信側である集合玄関子機１０ａ、１０ｂ、１０ｃ、・・・、１０ｍから画像の同期信号に合わせて、一時格納バッファ３０６に格納した同期マーカーＭを含んだ伝送フレームｆを、一周期分又は複数周期分のデータを遅延して送信することで、受信側である居室親機２０ａ、２０ｂ、２０ｃ、・・・、２０ｎにて同期マーカーＭを取り出すことで同期タイミングを再生してリップシンクを合わせることができる。したがって、１画像分の画像データｄ３を送信した後に、１画像分の音声データｄ２を送信することができるので、画像データｄ３、音声データｄ２の再生側である居室親機２０ａ、２０ｂ、２０ｃ、・・・、２０ｎに音声遅延バッファ２１１を設ける必要がなくなる。
【００４５】
このような同期マーカーとして、音声データｄ２を符号拡張し、拡張する前の音声データに対応する拡張された符号以外の符号を利用して同期信号を拡張された符号に重畳して伝送し再生する機能を、集合玄関子機１０ａ、１０ｂ、１０ｃ、・・・、１０ｍのデータ整形回路１０８に備えてもよい。これにより、音声データｄ２に同期信号を付加することができるので、別途、同期情報をフレームヘッダ等に設ける必要がなくなる。
【００４６】
また、画像同期マーカーとして、画像データｄ３を符号拡張し、拡張する前の画像データに対応する拡張された符号以外の符号を利用して同期信号を拡張された符号に重畳して伝送し再生する機能を、集合玄関子機１０ａ、１０ｂ、１０ｃ、・・・、１０ｍのデータ整形回路１０８に備えてもよい。これにより、画像データｄ３に同期信号を付加することができるので、別途、同期情報をフレームヘッダ等に設ける必要がなくなる。
【００４７】
さらに、一定周期を維持しつつ中継再生するために、伝送フレームｆを一周期分又は複数周期分格納する一時格納バッファ３０６を制御装置３０に設け、同期マーカーＭのタイミングで、一時格納バッファ３０６に格納された伝送フレームｆを居室親機２０ａ、２０ｂ、２０ｃ、・・・、２０ｎに送信することにより、中継再生する機能を備えたものである。なお、一時格納バッファ３０６は伝送回路３０４に接続されている。これにより、一時格納バッファ３０６で格納した伝送フレームｆを一周期分又は複数周期分だけ遅らせて送信することができるので、受信側である居室親機２０ａ、２０ｂ、２０ｃ、・・・、２０ｎで遅れを感じることなく音声、画像を再生することができる。
【００４８】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００４９】
【図１】本発明のインターホン装置における好ましい実施の形態例を示す全体ブロック図である。
【図２】本発明のインターホン装置に適用される伝送フレームを示す図で、（Ａ）は伝送フレームの構成図、（Ｂ）は伝送フレーム周期とサンプリング周期と１画面周期との関係を示す構成図である。
【図３】従来のインターホン装置に適用される伝送フレームの詳細を示す構成図である。
【図４】従来のインターホン装置のモニタ付親機に使用されるタイミング回路のシステムクロック生成回路部を示すブロック図である。
【符号の説明】
【００５０】
１０ａ、１０ｂ、１０ｃ、・・・、１０ｍ……集合玄関子機
１０３……カメラ
１０４……マイクロホン
１０５……スピーカ
２０ａ、２０ｂ、２０ｃ、・・・、２０ｎ……居室親機
２０２……表示部
２０３……マイクロホン
２０４……スピーカ
２１１……音声遅延バッファ
３０……制御装置
３０６……一時格納バッファ
ｆ……伝送フレーム
ｄ１……制御データ
ｄ２……音声データ
ｄ３……画像データ
Ｔ……フレーム周期
Ｔ１……サンプリング周期
Ｔ２……画面周期
Ｍ……同期マーカー
【図１】
0004669366.tif 000002
【図２】
0004669366.tif 000003
【図３】
0004669366.tif 000004
【図４】
0004669366.tif 000005